(57)【要約】【課題】ユーザが電子機器の取扱方法を知るために電子マニュアルを調べるときに、該当ページにたどり着くまでの負担を軽減する。【解決手段】ユーザ操作を入力するユーザ操作入力手段と、前記ユーザ操作入力手段からの入力を判定するユーザ操作判定手段と、ユーザが操作しているシーンを自動解析するシーン解析手段と、前記シーン解析手段で解析したシーンに該当する電子取説データを通知する電子取説データ通知手段と、電子取説データコンテンツを記憶しておく電子取説データ記憶装置と、前記電子取説データ記憶装置から電子取説データを読込む電子取説データ読込手段と、前記電子取説データ読込手段で読込んだ電子取説データコンテンツを表示する電子取説表示手段と、前記電子取説表示手段で表示されたデータを画面に出力する画面表示手段を具備し、電子取説の該当ページを画面上に表示する。【選択図】図１
2007200094.tif 000002
【特許請求の範囲】
【請求項１】
ユーザ操作を入力するユーザ操作入力手段と、前記ユーザ操作入力手段からの入力を判定するユーザ操作判定手段と、ユーザが操作しているシーンを自動解析するシーン解析手段と、前記シーン解析手段で解析したシーンに該当する電子取説データを通知する電子取説データ通知手段と、電子取説データコンテンツを記憶しておく電子取説データ記憶装置と、前記電子取説データ記憶装置から電子取説データを読込む電子取説データ読込手段と、前記電子取説データ読込手段で読込んだ電子取説データコンテンツを表示する電子取説表示手段と、前記電子取説表示手段で表示されたデータを画面に出力する画面表示手段とを具備することを特徴とする電子取説表示装置。
【請求項２】
ユーザ操作を入力するユーザ操作入力ステップと、前記ユーザ操作入力ステップからの入力を判定するユーザ操作判定ステップと、ユーザが操作しているシーンを自動解析するシーン解析ステップと、前記シーン解析ステップで解析したシーンに該当する電子取説データを通知する電子取説データ通知ステップと、電子取説データコンテンツを記憶しておく電子取説データ記憶装置と、前記電子取説データ記憶装置から電子取説データを読込む電子取説データ読込ステップと、前記電子取説データ読込ステップで読込んだ電子取説データコンテンツを表示する電子取説表示ステップと、前記電子取説表示ステップで表示されたデータを画面に出力する画面表示ステップとを具備することを特徴とする電子取説表示方法。
【請求項３】
前記請求項２に記載の電子取説表示方法の各ステップをコンピュータに実行させるためのプログラムを記録したコンピュータ読み取り可能な記録媒体。
【発明の詳細な説明】
【技術分野】
【０００１】
本発明は、電子機器の取扱方法を記載した電子マニュアルを電子機器の画面に表示する方法に関するものである。
【背景技術】
【０００２】
近年、電子機器の高機能化に伴い機能数が大幅に増えてきており、その操作方法のガイドである取扱説明書のページ数も増加傾向にある。そして、電子機器の取扱方法を知るためには、ユーザは分厚い紙の取扱説明書を調べる必要があった。そこで従来より、紙の取扱説明書を電子化した電子マニュアル技術があるが、ユーザが知りたい操作方法に関する該当ページを表示するためには、ユーザ自身が検索操作やリンクボタンなどにより探索する必要があり、ユーザにとっては煩雑であった。このようなユーザ負担を軽減する技術として、例えば、ユーザによる検索操作を軽減するために、電子マニュアル検索システムという技術がある（特許文献１参照）。
【０００３】
この技術では、電子マニュアルの中で、過去の参照回数の多いトピックを優先的に検索し、表示する電子マニュアル検索システムを提供している。
【特許文献１】特開２００１−２１６３１６号公報
【発明の開示】
【発明が解決しようとする課題】
【０００４】
しかし特許文献１の例では、ユーザが該当ページを見つけるための検索操作を実行しなければならないため、該当ページに辿りつくまでに手間がかかってしまうという課題がある。
【０００５】
本発明では、ユーザが操作しているシーンを自動解析するシーン解析部を備えることにより、操作方法が分からないシーンにおいて、ユーザがリモコンボタン操作をするだけで、そのときのシーンを解析して、自動的に電子取説の該当ページを画面上に表示することにより、ユーザの負担を軽減することを目的とする。
【課題を解決するための手段】
【０００６】
本発明の請求項１に係る電子取説表示装置は、ユーザ操作を入力するユーザ操作入力手段と、前記ユーザ操作入力手段からの入力を判定するユーザ操作判定手段と、ユーザが操作しているシーンを自動解析するシーン解析手段と、前記シーン解析手段で解析したシーンに該当する電子取説データを通知する電子取説データ通知手段と、電子取説データコンテンツを記憶しておく電子取説データ記憶装置と、前記電子取説データ記憶装置から電子取説データを読込む電子取説データ読込手段と、前記電子取説データ読込手段で読込んだ電子取説データコンテンツを表示する電子取説表示手段と、前記電子取説表示手段で表示されたデータを画面に出力する画面表示手段とを具備することを特徴とする。
【発明の効果】
【０００７】
本発明により、操作方法が分からないシーンにおいて、ユーザがリモコンボタン操作一つで自動的に電子取説の該当ページを表示することが可能となるため、電子マニュアルから該当するトピックを探す必要がなくなり、ユーザの負担を軽減することができる。また、機器に同梱する紙の取扱取説書を省くことができ、コストダウンを図ることができる。
【発明を実施するための最良の形態】
【０００８】
（実施の形態１）
図１は、本発明の実施の形態１に係る電子取説表示装置の構成を示すブロック図である。図１において、１０１はユーザ操作入力部、１０２はユーザ操作判定部、１０３はシーン解析部、１０４は電子取説データ通知部、１０５は電子取説データ読込部、１０６は電子取説表示部、１０７は電子取説データ記憶装置、１０８は画面表示装置から構成される。
【０００９】
次に、本発明の電子取説表示装置における電子取説表示処理について、図２に示すフローチャートを用いて説明する。ステップＳ２０１で、ユーザ操作の内容を入力してステップＳ２０２に移る。ステップＳ２０２で、入力されたユーザ操作の内容が電子取説の起動要求かどうか判定し、電子取説の起動要求の場合にはステップＳ２０３へ移り、電子取説の起動要求ではない場合には何もせずに終了する。ステップＳ２０３で、ユーザが操作しているシーンを自動解析するシーン解析処理をしてステップＳ２０４へ移る。ステップＳ２０４で、ステップＳ２０３において確定された電子取説データを通知してステップＳ２０５へ移る。ステップＳ２０５で、通知された電子取説データを電子取説データ記憶装置から読み込みステップＳ２０６へ移る。ステップＳ２０６で、読み込まれた電子取説データを表示することにより、一連の電子取説表示処理が終了する。
【００１０】
次に、本発明の電子取説表示装置におけるユーザが操作しているシーンを自動解析するシーン解析処理について、図３に示すフローチャートを用いて説明する。
【００１１】
ステップＳ３０１で、ユーザが操作しているシーンの中で起動しているアプリケーションがあるかどうかを判定し、起動しているアプリがある場合にはステップＳ３０２へ移り、起動しているアプリが一つもない場合にはステップＳ３０６へ移る。ステップＳ３０２で、起動しているアプリが複数あるか判定し、複数ある場合にはステップＳ３０３へ移り、一つしかない場合には、ステップＳ３０４へ移る。ステップＳ３０３で、最も最近に起動したアプリを起動プロセス一覧から判定して、ステップＳ３０４へ移る。ステップＳ３０４で、現在起動しているアプリを確定してステップＳ３０５へ移る。ステップＳ３０５で、該当するアプリに関する電子取説データを確定してシーン解析処理を終了する。一方、ステップＳ３０６では、該当アプリが存在しないので、デフォルトの電子取説データを確定してシーン解析処理を終了する。
【００１２】
次に、本発明の電子取説表示装置における起動プロセス一覧からの最も最近に起動したアプリの判定方法について、図４に示す表を用いて説明する。図４において、４０１はＰＩＤ（プロセスのＩＤ）、４０２はＴＩＭＥ（プロセススタート時間）、４０３はＰｒｏｃｅｓｓ（プロセス名）を示している。また、ＰＩＤ１０はＳｈｅｌｌアプリ、ＰＩＤ２０はＥＰＧアプリ、ＰＩＤ３０はＭｅｎｕアプリを示している。このとき、最も最近に起動したアプリは１０：００にプロセススタートされたＭｅｎｕアプリであるので、ユーザが操作しているシーンはＭｅｎｕ操作であることが判別される。したがって、図１の１０３のシーン解析部は、この場合にはメニューの関する電子取説データを確定して、メニューの関する電子取説データの読込みを通知する。
【００１３】
次に、本発明の電子取説表示装置におけるユーザ操作のシーンの例について、図５を用いて説明する。図５において、５０１はテレビ画面等の画面表示装置、５０２はＥＰＧアプリ、５０３はＭｅｎｕアプリを示している。図５の例では、ユーザはまずＥＰＧアプリを起動し、最後にＭｅｎｕアプリを起動した状態になっている。このようなシーンにおいて、電子取説表示装置が組み込まれたテレビなどの電子機器の内部でのアプリ起動状態は、図４に示した起動アプリ一覧のような状態になっている。ここで、ユーザが電子取説の起動操作を行なうと、図２、３のフローチャートに示した処理ステップによって、Ｍｅｎｕアプリに関する電子取説データが画面上に表示される。
【産業上の利用可能性】
【００１４】
本発明の電子取説表示装置は、操作方法が分からないシーンにおいて、ユーザがリモコンボタン操作一つで自動的に電子取説の該当ページを表示することが可能となるため、電子マニュアルから該当するトピックを探す必要がなくなり、ユーザの負担を軽減することができる。また、機器に同梱する紙の取扱取説書を省くことができ、コストダウンを図ることができるため、テレビや携帯電話などの電子機器における電子取説表示装置として有用である。
【図面の簡単な説明】
【００１５】
【図１】本発明の実施の形態１における電子取説表示装置の構成を示すブロック図
【図２】本発明の実施の形態１における電子取説データ表示処理を示すフローチャート
【図３】本発明の実施の形態１におけるシーン解析処理を示すフローチャート
【図４】本発明の実施の形態１における起動プロセス一覧の例を示す図
【図５】本発明の実施の形態１におけるユーザが操作するシーンの例を示す図
【符号の説明】
【００１６】
１０１    ユーザ操作入力部
１０２    ユーザ操作判定部
１０３    シーン解析部
１０４    電子取説データ通知部
１０５    電子取説データ読込部
１０６    電子取説表示部
１０７    電子取説データ記憶装置
１０８    画面表示装置
４０１    ＰＩＤ（プロセスのＩＤ）
４０２    ＴＩＭＥ（プロセススタート時間）
４０３    Ｐｒｏｃｅｓｓ（プロセス名）
５０１    画面表示装置
５０２    ＥＰＧアプリ
５０３    Ｍｅｎｕアプリ
【図１】
2007200094.tif 000003
【図２】
2007200094.tif 000004
【図３】
2007200094.tif 000005
【図４】
2007200094.tif 000006
【図５】
2007200094.tif 000007